(57)【要約】      （修正有）【課題】視聴者の精神的条件や肉体的条件によって選択される視聴者の訪問予定の場所において、視聴者の視聴時点での精神的状態や肉体的状態を計算した広告コンテンツを製作し提供して広告の視聴欲を向上させることで視聴者の購買欲を刺激できる確率を向上させる広告手段を提供する。【解決手段】Ｃ１は４０歳代の既婚女性、Ｃ２は５０歳代の既婚女性、Ｃ３は２０歳代の未婚女性、Ｃ４は２０歳代の未婚男性であり、Ｃ１には待ち時間ｍＸ３が、Ｃ２には待ち時間ＴｉＹ＝（ｉＹ２＋ｉＹ３）が、Ｃ３には待ち時間ｉＹ２が、Ｃ４には待ち時間ｉＸ３が発生している。画像表示装置にはそれぞれの待ち時間に対応した広告情報が配信される。【選択図】図１
2007219460.tif 000002
【特許請求の範囲】
【請求項１】
来店者または来院者がサービスまたは治療を受ける場所や施設における広告手段であり、前記広告手段から出力される広告情報を視聴する来店者または来院者を視聴対象者として研究され製作された広告情報を提供する手段であり、前記視聴対象者が前記施設に来店または来院してからサービスまたは治療が開始する時点までに生ずる待ち時間をＴｍＸとし、前記視聴対象者にサービスまたは治療を開始した時点から終了するまでに生ずる待ち時間をＴｍＹとし、前記視聴対象者にサービスまたは治療が終了してから前記場所から去るまでに生ずる待ち時間をＴｍＺとし、前記待ち時間ＴｍＸまたは（及び）前記待ち時間ＴｍＹまたは（及び）前記待ち時間ＴｍＺが発生する場所を想定して製作された広告情報を記憶する記憶手段を着脱可能に接続できるようにした画像表示装置を前記待ち時間ＴｍＸまたは（及び）前記待ち時間ＴｍＹまたは（及び）前記待ち時間ＴｍＺが発生する場所を想定して選択または改造または製造し一又は二以上設置することを特徴とする、待ち時間を利用した広告手段。
【請求項２】
来店者または来院者がサービスまたは治療を受ける場所や施設における広告手段であり、前記広告手段から出力される広告情報を視聴する来店者または来院者を視聴対象者として研究され製作された広告情報を提供する手段であり、前記視聴対象者が前記施設に来店または来院してからサービスまたは治療が開始する時点までに生ずる待ち時間をＴｉＸとし、前記視聴対象者にサービスまたは治療を開始した時点から終了するまでに生ずる待ち時間をＴｉＹとし、前記視聴対象者にサービスまたは治療が終了してから前記場所から去るまでに生ずる待ち時間をＴｉＺとし、前記待ち時間ＴｉＸまたは（及び）前記待ち時間ＴｉＹまたは（及び）前記待ち時間ＴｉＺが発生する場所を想定して製作された広告情報をサーバーに記憶し通信手段を介してサーバーから送信された広告情報を受信する受信部と記憶する記憶部と、を備えた画像表示装置を前記待ち時間ＴｉＸまたは（及び）前記待ち時間ＴｉＹまたは（及び）前記待ち時間ＴｉＺが発生する場所を想定して選択または改造または製造し一又は二以上設置することを特徴とする、待ち時間を利用した広告手段。
【請求項３】
前記画像表示装置の設置場所が、前記ＴｍＸまたは前記ＴｉＸ発生場所の前記視聴対象者の視野に入る位置、前記ＴｍＹまたは前記ＴｉＹ発生場所の前記視聴対象者の視野に入る位置、前記ＴｍＺまたは前記ＴｉＺ発生場所の前記視聴対象者の視野に入る位置であることを特徴とする、請求項１または請求項２に記載の待ち時間を利用した広告手段。
【請求項４】
前記施設が、美容、理容、医療、獣医業、アロマテラピー、エステティック、針治療、マッサージ、整体、カイロプラクティック、を提供する場所である事を特徴とする、請求項１から請求項３のいずれかに記載の待ち時間を利用した広告手段。
【請求項５】
前記場所または（及び）前記位置に、一又は二以上のカメラを設置して前記画像表示装置に接続させることを特徴とする、請求項１から請求項４のいずれかに記載の待ち時間を利用した広告手段。
【請求項６】
前記画像表示装置に端末装置を設け、来店者または来院者データベースを設け来店データまたは来院データを蓄積したり、前記カメラからの画像データを蓄積したりして、前記視聴対象者の依頼に応じて画像データを表示するときに、前記広告情報を前記画像表示装置の表示部の少なくとも一部に表示されるようにする手段を設けたことを特徴とする、請求項１から請求項５のいずれかに記載の待ち時間を利用した広告手段。
【請求項７】
前記端末装置または前記画像表示装置にプリンターを設け、前記画像表示装置にプリント手段を示す画像を表示するようにして、前記視聴対象者の依頼に応じてまたは操作によって前記広告情報を出力できるようにしたり、前記プリンターからの出力が前記視聴対象者の嗜好情報として前記端末装置または前記記憶手段または前記サーバーまたは前記画像表示装置または前記プリンターに記憶されるようにしたことを特徴とする、請求項１から請求項６のいずれかに記載の待ち時間を利用した広告手段。
【請求項８】
前記画像表示装置に表示画像リピート手段や音声調節手段を示す画像を表示するようにして、前記視聴対象者の依頼に応じてまたは操作によって表示画像リピート手段や音声調節手段が実行されたときに、前記操作情報を前記視聴対象者の嗜好情報として前記端末装置または前記記憶手段または前記サーバーに記憶されるようにしたことを特徴とする、請求項１から請求項７のいずれかに記載の待ち時間を利用した広告手段。
【請求項９】
前記嗜好情報の少なくとも一部をポイントに換算し、前記ポイントを記録しデータベースとして利用したり、前記プリンターからポイントカードが出力されるシステムを設けたり、前記プリンターにポイントカードを入力し所定の部位に印字されるシステムを設けたりすることを特徴とする、請求項６から請求項８のいずれかに記載の待ち時間を利用した広告手段。
【発明の詳細な説明】
【技術分野】
【０００１】  本発明は、来店者または来院者がサービスまたは治療を受ける場所や施設における広告手段であり、来店者または来院者が前記場所や施設に来店または来院してから前記場所や施設から去る時点に生ずるまでに生じた待ち時間を利用して、来店者または来院者を想定して製作された広告情報を表示する画像表示装置を設置することを特徴とする広告手段に関するものである。
【背景技術】
【０００２】  従来から、主にＴＶ放送やラジオ放送などのマスメディアは、商品やサービスなどの広告情報を消費者に提供してきた。
近年では、インターネットを利用した広告が利用されるようになってきた。
これらの広告は、視聴者の精神的条件や肉体的条件に関係なく、また視聴者の視聴時点での精神的状態や肉体的状態に関係なく提供されているために、視聴者の脳内で広告効果が作用するまでに至らない場合が多い。
つまり、従来の広告手段では、視聴者の精神的条件や肉体的条件や視聴者の視聴時点での精神的状態や肉体的状態を無視して広告情報や広告番組を制作したり編集して洪水のごとく提供し続けてきたわけであり、従来の広告提供手段は、視聴者に広告情報の垂れ流しの状態であった。【０００３】  そこで、近年になって、特定の顧客に対して、ある条件の下で制作された広告情報や番組といったコンテンツを提供する手段の開発が増加してきた。
例えば、自動車教習所において、受講者に対して適切に自動車関連商品等の情報を提供し、容易にその詳細な資料の取得を可能として、その購入を支援することを課題とし、解決手段としては、広告情報記憶部を備え、所定のスケジュールに従って、広告情報を所定の表示装置に出力する教習所サーバと、受講者コード、及び広告情報における資料請求コードを入力し、これらを保有する請求情報を、教習所サーバを経由し又は経由することなく、管理サーバに送信するユーザ端末と、広告情報を記憶する配信情報記憶部を備え、この広告情報を教習所サーバに配信し、かつ、ユーザ端末からの請求情報を受信して、当該ユーザ端末において受信可能に応答情報を送信するとともに、教習所サーバから受信した受講者コードに対応する受講者情報を広告サーバに送信する管理サーバと、少なくともサーバを接続する通信回線とを有する教習所システムの開発案件が知られている。（特開２００５−２３４８４３号公報を参照する）【０００４】  また、例えば、データ記憶装置、表示器、及び少なくとも１つの選択装置を含む情報を提供するための会話型表示システムであって、表示器が、データ記憶装置から要約情報を順次表示し、少なくとも１つの選択装置が、表示器上に、選択した要約情報に関連する他の情報を表示させることができ、他の情報は、データ記憶装置から入手されることを特徴とする開発案件が知られている。（特開２００４−５１５７９７号公報を参照する）【０００５】  また、例えば、タクシー乗客の嗜好に合った広告を提供することができる車内広告システムを提供することを課題とし、解決手段としては、車内において広告を行なう車内広告システムであって、利用者の嗜好及びポイント数を含む利用者情報を記憶するポイントカードの挿入及び排出が可能であるとともに、前記ポイントカードから前記嗜好を含む情報を読み込み、前記ポイントカードに少なくとも新たなポイント数を書き込む読込書込装置と、１又は２以上の嗜好ごとに広告情報を記憶する記憶装置と、読み込んだ前記嗜好を含む情報に基づいて記憶された嗜好を検索するとともに、検索された嗜好に基づいてこれに該当する前記広告情報を選択する情報処理装置と、選択された前記広告情報を表示する表示装置と、を備えることを特徴とする開発案件が知られている。（特開２００３−１３１６０８号公報を参照する）【０００６】  また、例えば、動的な広告を容易且つ確実に表示すること、及び、その動的広告の変更作業を容易且つ確実に行うことを目的とし、解決手段としては、タクシー等に設置される移動端末と、動画データが記憶されたサーバとからなり、移動端末は、無線電話回線やインターネットを介してサーバに接続可能で、且つサーバから送信された動画データを受信し、受信した動画データを記憶手段に記憶して、記憶された動画データを表示手段に表示させるよう設けられている開発案件が知られている。（特開２００３−１６２２４４号公報を参照する）【０００７】  また、例えば、タクシーの乗客及び運転手にとっては安全性が高く、表示画像の画質も良く、料金のやりとりに便利で、また生産性や運用上の操作性にも優れたタクシー内の広告用の画像表示装置の提供を課題とし、料金皿を上面に持ち���周辺はＲ加工を施し、マジックテープでタクシー内に固定する。また、ＬＣＤ表示部は乗客の目線に垂直でかつ固定にネジを必要とせずさらに装置表面近くにあり、メモリカード挿入用のガイドを有し、挿入時はメモリカード端面と装置外面が一致する構造になっている。その結果料金の受け渡しが容易になり、乗客と運転手に安全で、その他生産性や操作性に優れていることを特徴とする開発案件が知られている。（特開２０００−２８９５３５号公報を参照する）
【発明の開示】
【発明が解決しようとする課題】
【００１０】  ところが、特開２００５−２３４８４３号の教習所システムの開発案件や、特開２００４−５１５７９７号の会話型表示システムの開発案件や、特開２００３−１３１６０８号の検索された嗜好に基づいてこれに該当する前記広告情報を選択する情報処理装置と選択された前記広告情報を表示する表示装置とを備えることを特徴とする開発案件や、特開２００３−１６２２４４号の開発案件や、特開２０００−２８９５３５号の開発案件などでは、視聴者を、特定の年齢層に集中していることに着目したり、ターゲット層が絞られた商品等の購入予備軍であると想定したりして、視聴者の購買意欲を増進させようとしているが、視聴者の精神的条件や肉体的条件や視聴者の視聴時点での精神的状態や肉体的状態を計算または想定してまでの発明レベルまでに至っていないために、広告効果は限定的であると言わざるえない。
すなわち、従来の広告システムでは、視聴者の精神的条件や肉体的条件や視聴者の視聴時点での精神的状態や肉体的状態を計算または想定してまで、積極的に商品やサービス等の購買意欲を増進して、その購買に適切に結びつけようとするシステムは存在しなかった。【００１１】  そこで本発明者達は、顧客や消費者である、視聴者の精神的条件や肉体的条件や視聴者の視聴時点での精神的状態や肉体的状態によって訪問する場所が選択されたり、これらの視聴者の必要性によって訪問する場所が特定されるということに着目して、これらの場所に、予め視聴者の精神的条件や肉体的条件や視聴者の視聴時点での精神的状態や肉体的状態を計算または想定して製作または編集された広告情報を提供すれば、視聴者は提供される広告情報への反応率が向上し、購買率が向上するという仮説を出した。
また、一般的な広告効果に関しての理論として、ＡＩＤＭＡの定理が公知であり、一般的は、Ａｔｔｅｎｔｉｏｎ（注意を引かせ）、Ｉｎｔｅｒｅｓｔ（興味を感じさせ）、Ｄｅｓｉｒｅ（欲求を生じさせ）、Ｍｅｍｏｒｙ（記憶させると）、Ａｃｔｉｏｎ（人は購買行動を起こす）、という理論が知られている。
そこで、本発明者達は、広告情報の視聴時点での精神的状態や肉体的状態を予め計算または想定しやすい時間として「待ち時間」に着目して、待ち時間の分析と考察を行ない「待ち時間理論」を構築することで、待ち時間に広告を提供する手段を見出した。【００１２】  本発明は、上記の課題を解決するために成されたものであり、視聴者の精神的条件や肉体的条件によって選択される視聴者の訪問予定の場所において、視聴者の視聴時点での精神的状態や肉体的状態を計算した広告情報や広告番組を製作して提供して、視聴者に対する広告の視聴欲を向上させることで視聴者の購買欲を刺激できる確率を向上させる広告手段の提供を目的とする。
また、本発明は、上述した理論とＡＩＤＭＡの定理と待ち時間理論が相関関係にあり、これらを組合わせることで、上記の課題を解決し、視聴者に対する広告の視聴欲を向上させ視聴者の購買欲を刺激できる確率を向上させる広告手段の提供を目的とする。
【課題を解決するための手段】
【００２０】  課題を解決するための第一の手段として、来店者または来院者がサービスまたは治療を受ける場所や施設における広告手段であり、前記広告手段から出力される広告情報を視聴する来店者または来院者を視聴対象者として研究され製作された広告情報を提供する手段であり、前記視聴対象者が前記施設に来店または来院してからサービスまたは治療が開始する時点までに生ずる待ち時間をＴｍＸとし、前記視聴対象者にサービスまたは治療を開始した時点から終了するまでに生ずる待ち時間をＴｍＹとし、前記視聴対象者にサービスまたは治療が終了してから前記場所から去るまでに生ずる待ち時間をＴｍＺとし、前記待ち時間ＴｍＸまたは（及び）前記待ち時間ＴｍＹまたは（及び）前記待ち時間ＴｍＺが発生する場所を想定して製作された広告情報を記憶する記憶手段を着脱可能に接続できるようにした画像表示装置を前記待ち時間ＴｍＸまたは（及び）前記待ち時間ＴｍＹまたは（及び）前記待ち時間ＴｍＺが発生する場所を想定して選択または改造または製造し一又は二以上設置することを特徴とする、待ち時間を利用した広告手段を提供する。【００２１】  本発明での、待ち時間または待ち時間理論に関しては、サービスまたは治療を受けようとする人がサービスまたは治療を提供する場所や施設に来店または来院してから、サービスまたは治療を受けた人がサービスまたは治療を提供した場所から去るまでに費やした時間から、実際にサービスまたは治療に費やした時間を引いた時間をいう場合や、サービスまたは治療を受ける人がサービスまたは治療が開始された時間から終了するまでの時間の中でサービスまたは治療のために身体の少なくとも一部が拘束されているにも拘らず視覚または（及び）聴覚が情報の入力に可能な状態の時間帯をいう場合があるものとする。
また、来店者または来院者がサービスまたは治療を受ける場所や施設に来店または来院してから、サービスまたは治療を受けた人がサービスまたは治療を提供した場所から去るまでの時間帯の中で、人間の心理状態や精神状態によっては、広告効果が得られやすい状態や広告情報に対する感度に変化が生ずることを本発明者たちは見出して、例えば、健康に不安を感じている状態、自分の容姿に不満を抱えている状態、ストレスを感じている状態、精神的に満たされていない状態、肉体的に不安または不満を感じている状態の人が、どんなサービスまたは治療を求めているのか、どんなサービスまたは治療を期待しているのか、どんな商品情報やサービス情報や治療情報を求めているのか、の予測が可能になることや、人が上述した状態になるときに、これらの不安や不満を解消または軽減してくれる場所に行くタイミングや、これらの不安や不満を解消または軽減してくれることを予感させる広告情報に人の感度が向上したり注目（Ａｔｔｅｎｔｉｏｎ）しやすい状態になることなども本発明者たちは見出した。
また、来店者または来院者がサービスまたは治療を受ける施設に来店または来院してからサービスまたは治療を受けるまでの間、サービスまたは治療を受けている間、サービスまたは治療が終了してからサービスまたは治療を提供した施設から去るまでの中で、こららの施設内の位置や場所によっては、広告効果が得られやすい状態や広告情報に対する感度に変化が生ずることを本発明者たちは見出して、例えば、健康に不安を感じている状態、自分の容姿に不満を抱えている状態、ストレスを感じている状態、精神的に満たされていない状態、肉体的に不安または不満を感じている状態の人が、どんなサービスまたは治療を求めているのか、どんなサービスまたは治療を期待しているのか、どんな商品情報やサービス情報や治療情報を求めているのか、の予測が可能になることや、人が上述した状態になるときに、これらの不安や不満を解消または軽減してくれる場所へ再訪するタイミングや、これらの不安や不満を解消または軽減してくれることを予感させる広告情報に人の感度が向上したり注目（Ａｔｔｅｎｔｉｏｎ）しやすい状態になることなども本発明者たちは見出した。【００２２】  また、前記待ち時間を分析してみると、以下のようになることがわかった。
前記待ち時間ＴｍＸに関しては、本発明では来店者または来院者が前記施設に来店または来院してからサービスまたは治療が開始する時点までに生ずる時間を言うが、例えば、受付けで行列ができている場合の待ち時間をｍＸ１とし、少なくとも１人が受付け場所で所定以上の時間を要している場合の待ち時間をｍＸ２とし、待合室や待合場所で自分の番がくるまでの待ち時間をｍＸ３とし、前記の待ち時間の間にトイレに行ったりする時間をｍＸ４とし、公衆電話または携帯電話をしたりする時間をｍＸ５とし、喫煙場所または喫煙可能場所で喫煙したりする時間をｍＸ６とし、自動販売機で所望の物品を購入したりしている時間をｍＸ７とすると、例えば待ち時間ＴｍＸ＝ｍＸ１＋ｍＸ２、例えば待ち時間ＴｍＸ＝ｍＸ１＋ｍＸ２＋ｍＸ３、例えば待ち時間ＴｍＸ＝ｍＸ１＋ｍＸ２＋ｍＸ３＋ｍＸ４、例えば待ち時間ＴｍＸ＝ｍＸ１＋ｍＸ２＋ｍＸ３＋ｍＸ４＋ｍＸ５、例えば待ち時間ＴｍＸ＝ｍＸ１＋ｍＸ２＋ｍＸ３＋ｍＸ４＋ｍＸ５＋ｍＸ６、例えば待ち時間ＴｍＸ＝ｍＸ１＋ｍＸ２＋ｍＸ３＋ｍＸ４＋ｍＸ５＋ｍＸ６＋ｍＸ７、などの場合が想定可能である。
前記待ち時間ＴｍＹに関しては、本発明ではサービスまたは治療が開始した時点から終了するまでの時点に生ずる時間をいうが、サービスまたは治療を受ける人がサービスまたは治療が開始された時間をｍＹ１とし、サービスまたは治療を受ける人のサービスまたは治療が終了した時間をｍＹ９とし、サービスまたは治療が開始され身体の主な部分がサービスまたは治療のために拘束されつつも視覚が広告情報の入力に可能な状態の時間帯をｍＹ２とし、聴覚が広告情報の入力に可能な状態の時間帯をｍＹ３とすると、例えば待ち時間ＴｍＹ＝ｍＹ９−ｍＹ１、例えば待ち時間ＴｍＹ＝ｍＹ２、例えば待ち時間ＴｍＹ＝ｍＹ３、例えば待ち時間ＴｍＹ＝ｍＹ２＋ｍＹ３、などの場合が想定可能である。
前記待ち時間ＴｍＺに関しては、本発明ではサービスまたは治療が終了した時点から来店者または来院者が前記場所から去る時点に生ずる時間を言うが、例えば所定の休憩時間をｍＺ１とし、例えば所望する休憩時間をｍＺ２とし、例えば受付が混んでいて会計までに要する時間をｍＺ３とし、例えば受付に行列ができていて会計までに要する時間をｍＺ４とし、例えばトイレに行ったりする時間をｍＺ５とし、例えば公衆電話または携帯電話をする時間をｍＺ６とし、例えば喫煙場所または喫煙可能場所で喫煙をする時間をｍＺ７とし、例えば自動販売機で所望の物品を購入したりする時間をｍＺ８とすると、例えば待ち時間ＴｍＺ＝ｍＺ１＋ｍＺ２、例えば待ち時間ＴｍＺ＝ｍＺ１＋ｍＺ２＋ｍＺ３、例えば待ち時間ＴｍＺ＝ｍＺ１＋ｍＺ２＋ｍＺ３＋ｍＺ４、例えば待ち時間ＴｍＺ＝ｍＺ１＋ｍＺ２＋ｍＺ３＋ｍＺ４＋ｍＺ５、例えば待ち時間ＴｍＺ＝ｍＺ１＋ｍＺ２＋ｍＺ３＋ｍＺ４＋ｍＺ５＋ｍＺ６、例えば待ち時間ＴｍＺ＝ｍＺ１＋ｍＺ２＋ｍＺ３＋ｍＺ４＋ｍＺ５＋ｍＺ６＋ｍＺ７、などの場合が想定可能である。【００２３】  前記広告情報に関しては、広告用に制作または編集された、静止画像、動画、テキスト、グラフィックス、ビデオ、アニメーション、音響又はこれらの任意の組合わせから選択される。他の情報スタイルとしては、さらに、印刷物を含むことができる。広告の場合には、ビジネス用の地理的画像、又は短いビデオ広告のような広告メッセージを含むことができる。また、価格リスト、パンフレット、クーポン又は任意の他の販売促進用資料を含むことができる。
また、前記広告情報は、各種商品やサービスの宣伝、観光情報、求人情報、通信販売情報など、来店者または来院者をターゲットにして広告するためのものであれば種類は問わない。また、広告情報は、音声と映像の両者が含まれるもの、音声のみ、映像のみのいずれでもよい。
また、前記広告情報は、数字や文字、記号等により構成することができる。また、バーコードや二次元コードや三次元コードにより構成することもできる。
また、前記広告情報が前記視聴対象者に対しての視聴を目的にしており、人の心理状態や精神状態を調査して分析して検討を加えたのちに開発、製作されたコンテンツであることを特徴とする。例えば、この分析して検討を加える場合においては、個人差（性格、年齢、職業、性別）による「待ち時間」の科学的分析アプローチが必要であり、例えば、前記視聴対象者の「待ち時間」が、脳波、血圧、心電図、ストレス、などにどんな変化を与えたかという測定値を参考にするのが好ましい。
また、前記場所を想定して製作された広告情報に関して、前記場所を想定して製作する手段に関しては、前記場所を予想したり、前記場所をＣＧでシミュレートまたは再現したり、前記場所を分析（素材的、音響的、色彩的、空間的、構造的に）したりした後に検討を加えて選択、創作、編集することが好ましい。【００２４】  前記記憶手段に関しては、ハードドライブ、半導体メモリ、磁気ディスク、光ディスク、その他任意の端末や表示装置で読取り可能な任意の記録手段など、前記広告情報を記録でき再生装置で再生することができるものであればよい。
また、前記記憶手段に関しては、赤外線接続、イーサネット接続、汎用パケット無線サービス（ＧＰＲＳ）、無線ＬＡＮ、又は任意の他の無線システムのような任意の適当な手段により更新することができる。【００２５】  前記画像表示装置に関しては、例えば、陰極線管（ＣＲＴ）、液晶ディスプレイ（ＬＣＤ）、プラズマディスプレイ（ＰＤＰ）、発光ダイオード（ＬＥＤ）、発光素子、電球、光電管、有機ＥＬ（エレクトロルミネッセンス）、または任意の他の画像映写技術を使用するスクリーンのような任意の適当な表示手段など、電磁気的手段や光学的手段を用いた表示手段は全て使用することができる。また、前記画像表示装置の接続手段に関しては、特に限定されるものではないが、有線又は無線により接続された一又は二以上のディスプレイを設置または載置することができる。
また、前記画像表示装置は移動することができるが、移動することが可能な画像表示装置は全て用いることができ、また、着脱することが可能な画像表示装置でもよいし、着脱可能な取り付け具が設けられた画像表示装置でもよい。
また、前記画像表示装置は、表示部の他に、電源ボタン、音声ボリュームボタン、メニューボタン、入力先切替ボタンなど種々のボタン類を備えたものであることが好ましい。電源ボタンは表示部に電力を供給するためのものであり、音声ボリュームボタンは音声を調整するためのものであり、メニューボタンは表示部の明るさ、色調整および音量調整塔の調整のためのものであり、入力先切替ボタンは、表示部およびスピーカへの入力先を、外部接続機器に用いるためである。【００２７】  課題を解決するための第二の手段として、来店者または来院者がサービスまたは治療を受ける場所や施設における広告手段であり、前記広告手段から出力される広告情報を視聴する来店者または来院者を視聴対象者として研究され製作された広告情報を提供する手段であり、前記視聴対象者が前記施設に来店または来院してからサービスまたは治療が開始する時点までに生ずる待ち時間をＴｉＸとし、前記視聴対象者にサービスまたは治療を開始した時点から終了するまでに生ずる待ち時間をＴｉＹとし、前記視聴対象者にサービスまたは治療が終了してから前記場所から去るまでに生ずる待ち時間をＴｉＺとし、前記待ち時間ＴｉＸまたは（及び）前記待ち時間ＴｉＹまたは（及び）前記待ち時間ＴｉＺが発生する場所を想定して製作された広告情報をサーバーに記憶し通信手段を介してサーバーから送信された広告情報を受信する受信部と記憶する記憶部と、を備えた画像表示装置を前記待ち時間ＴｉＸまたは（及び）前記待ち時間ＴｉＹまたは（及び）前記待ち時間ＴｉＺが発生する場所を想定して選択または改造または製造し一又は二以上設置することを特徴とする、待ち時間を利用した広告手段を提供する。【００２８】  また、前記待ち時間を分析してみると、以下のようになることがわかった。
前記待ち時間ＴｉＸに関しては、本発明では来店者または来院者が前記施設に来店または来院してからサービスまたは治療が開始する時点までに生ずる時間を言うが、例えば、受付けで行列ができている場合の待ち時間をｉＸ１とし、少なくとも１人が受付け場所で所定以上の時間を要している場合の待ち時間をｉＸ２とし、待合室や待合場所で自分の番がくるまでの待ち時間をｉＸ３とし、前記の待ち時間の間にトイレに行ったりする時間をｉＸ４とし、公衆電話または携帯電話をしたりする時間をｉＸ５とし、喫煙場所または喫煙可能場所で喫煙したりする時間をｉＸ６とし、自動販売機で所望の物品を購入したりしている時間をｉＸ７とすると、例えば待ち時間ＴｉＸ＝ｉＸ１＋ｉＸ２、例えば待ち時間ＴｉＸ＝ｉＸ１＋ｉＸ２＋ｉＸ３、例えば待ち時間ＴｉＸ＝ｉＸ１＋ｉＸ２＋ｉＸ３＋ｉＸ４、例えば待ち時間ＴｉＸ＝ｉＸ１＋ｉＸ２＋ｉＸ３＋ｉＸ４＋ｉＸ５、例えば待ち時間ＴｉＸ＝ｉＸ１＋ｉＸ２＋ｉＸ３＋ｉＸ４＋ｉＸ５＋ｉＸ６、例えば待ち時間ＴｉＸ＝ｉＸ１＋ｉＸ２＋ｉＸ３＋ｉＸ４＋ｉＸ５＋ｉＸ６＋ｉＸ７、などの場合が想定可能である。
前記待ち時間ＴｉＹに関しては、本発明ではサービスまたは治療が開始した時点から終了するまでの時点に生ずる時間をいうが、サービスまたは治療を受ける人がサービスまたは治療が開始された時間をｉＹ１とし、サービスまたは治療を受ける人のサービスまたは治療が終了した時間をｉＹ９とし、サービスまたは治療が開始され身体の主な部分がサービスまたは治療のために拘束されつつも視覚が広告情報の入力に可能な状態の時間帯をｉＹ２とし、聴覚が広告情報の入力に可能な状態の時間帯をｉＹ３とすると、例えば待ち時間ＴｉＹ＝ｉＹ９−ｉＹ１、例えば待ち時間ＴｉＹ＝ｉＹ２、例えば待ち時間ＴｉＹ＝ｉＹ３、例えば待ち時間ＴｉＹ＝ｉＹ２＋ｉＹ３、などの場合が想定可能である。
前記待ち時間ＴｉＺに関しては、本発明ではサービスまたは治療が終了した時点から来店者または来院者が前記場所から去る時点に生ずる時間を言うが、例えば所定の休憩時間をｉＺ１とし、例えば所望する休憩時間をｉＺ２とし、例えば受付が混んでいて会計までに要する時間をｉＺ３とし、例えば受付に行列ができていて会計までに要する時間をｉＺ４とし、例えばトイレに行ったりする時間をｉＺ５とし、例えば公衆電話または携帯電話をする時間をｉＺ６とし、例えば喫煙場所または喫煙可能場所で喫煙をする時間をｉＺ７とし、例えば自動販売機で所望の物品を購入したりする時間をｉＺ８とすると、例えば待ち時間ＴｉＺ＝ｉＺ１＋ｉＺ２、例えば待ち時間ＴｉＺ＝ｉＺ１＋ｉＺ２＋ｉＺ３、例えば待ち時間ＴｉＺ＝ｉＺ１＋ｉＺ２＋ｉＺ３＋ｉＺ４、例えば待ち時間ＴｉＺ＝ｉＺ１＋ｉＺ２＋ｉＺ３＋ｉＺ４＋ｉＺ５、例えば待ち時間ＴｉＺ＝ｉＺ１＋ｉＺ２＋ｉＺ３＋ｉＺ４＋ｉＺ５＋ｉＺ６、例えば待ち時間ＴｉＺ＝ｉＺ１＋ｉＺ２＋ｉＺ３＋ｉＺ４＋ｉＺ５＋ｉＺ６＋ｉＺ７、などの場合が想定可能である。【００２９】  前記サーバーに関しては、前記広告情報や顧客データベースを管理したり情報処理したり、前記通信回線を介してデータや情報を送信したり、前記通信回線を介してデータや情報を受信したり、するために使用される情報処理装置であり、例えば、一台のワークステーションまたはオフィスコンピュータまたはパーソナルコンピュータ等を用いる場合が多いが、それぞれ二台以上でかつ組み合わされて使用することも可能である。また、レンタルサーバでも構わない。
また、前記サーバーに関しては、適宜設計変更が可能である。
また、前記サーバーに関しては、上述した手段を実施するための種々のプログラムが設けられていても構わない。
また、前記サーバーに関して、前記サーバーが広告サーバとして使用される場合は、前記広告情報の提供者側により使用される情報処理装置である。
また、前記サーバーに関して、前記サーバーが管理サーバとして使用される場合は、前記広告情報の利用者側で使用される場合が多いが、前記広告情報の提供者側で使用される情報処理装置である場合も可能である。管理サーバとして使用される場合は、サービスまたは治療を提供する場所または施設からのサービスまたは治療を受けた人の情報、例えば、顧客または視聴予定者の氏名、住所、電話番号、電子メールアドレス等の情報を、広告情報の提供者側により使用される広告サーバに送信することも可能である。【００３０】  前記通信手段に関しては、一般的に用いられている任意好適な公衆回線網（無線または有線）、商業回線網（無線または有線）、専用回線網（無線または有線）、インターネット回線網（無線または有線）、イントラネット網（無線または有線）、などの中から選択して用いることができる。また、衛星通信の使用も可能である。
また、前記場所や前記施設に前記画像表示装置が２台以上設置されている場合でも、それぞれの画像表示装置の間においては、同一または別個の通信回線で構成することが可能である。
前記の記憶部に関しては、前記画像表示装置に前記記憶手段が内蔵されているタイプを利用してもよいし、前記画像表示装置に前記記憶手段が着脱可能に接続されているタイプを利用してもよい。
本発明をこのような構成にすれば、前記画像表示装置は、前記サーバから前記広告情報の配信を受けて、これを来店者または来院者または前記視聴予定者に提供することができる。【００３３】  課題を解決するための第三の手段として、前記画像表示装置の設置場所が、前記ＴｍＸまたは前記ＴｉＸ発生場所の前記視聴対象者の視野に入る位置、前記ＴｍＹまたは前記ＴｉＹ発生場所の前記視聴対象者の視野に入る位置、前記ＴｍＺまたは前記ＴｉＺ発生場所の前記視聴対象者の視野に入る位置であることを特徴とする、課題を解決するための第一の手段または課題を解決するための第二の手段に記載の待ち時間を利用した広告手段を提供する。【００３４】  前記ＴｍＸ発生場所、前記ＴｍＹ発生場所、前記ＴｍＺ発生場所、前記ＴｉＸ発生場所、前記ＴｉＹ発生場所、前記ＴｉＺ発生場所、に関しては、上述した内容に準ずる。【００３５】  前記ＴｍＸ発生場所または前記ＴｉＸ発生場所の視野に入る位置に関しては、前記ＴｍＸ発生場所または前記ＴｉＸ発生場所の建築物の内部において、床面部、壁面部、天井部、に前記画像表示装置を設置したときに来店者または来院者または前記視聴予定者が視聴可能な状態にある位置のことを言うが、前記画像表示装置の表示部のサイズや前記画像表示装置を着脱可能に設置するための具材の能力を考慮して設置位置を決定する。
また、前記設置位置に関しては、前記ＴｍＸ発生場所または前記ＴｉＸ発生場所にいる来店者または来院者または前記視聴予定者の心理的状態や精神的状態や肉体的状態を予測してのデータや数値や情報や経験値を設置位置決定の材料とするのが好ましい。
前記ＴｍＹ発生場所または前記ＴｉＹ発生場所の視野に入る位置に関しては、前記ＴｍＹ発生場所または前記ＴｉＹ発生場所の建築物の内部において、床面部、壁面部、天井部、に前記画像表示装置を設置したときに来店者または来院者または前記視聴予定者が視聴可能な状態にある位置のことを言うが、前記画像表示装置の表示部のサイズや前記画像表示装置を着脱可能に設置するための具材の能力を考慮して設置位置を決定する。
また、前記設置位置に関しては、前記ＴｍＹ発生場所または前記ＴｉＹ発生場所にいる来店者または来院者または前記視聴予定者の心理的状態や精神的状態や肉体的状態を予測してのデータや数値や情報や経験値を設置位置決定の材料とするのが好ましい。
前記ＴｍＺ発生場所または前記ＴｉＺ発生場所の視野に入る位置に関しては、前記ＴｍＺ発生場所または前記ＴｉＺ発生場所の建築物の内部において、床面部、壁面部、天井部、に前記画像表示装置を設置したときに来店者または来院者または前記視聴予定者が視聴可能な状態にある位置のことを言うが、前記画像表示装置の表示部のサイズや前記画像表示装置を着脱可能に設置するための具材の能力を考慮して設置位置を決定する。
また、前記設置位置に関しては、前記ＴｍＺ発生場所または前記ＴｉＺ発生場所にいる来店者または来院者または前記視聴予定者の心理的状態や精神的状態や肉体的状態を予測してのデータや数値や情報や経験値を設置位置決定の材料とするのが好ましい。【００３７】  課題を解決するための第四の手段として、前記施設が、美容、理容、医療、獣医業、アロマテラピー、エステティック、針治療、灸治療、電気治療、マッサージ、整体、カイロプラクティック、を提供する場所である事を特徴とする、課題を解決するための第一の手段から課題を解決するための第三の手段のいずれかに記載の待ち時間を利用した広告手段を提供する。【００３８】  前記美容を提供する場所に関しては、顔や体つきを美しくするサービスや技術を提供する施設であり、例えば、美容院などが知られており、美容院では、パーマ・結髪・化粧その他の美容術を施し、主に女性の容貌を美しく整えることを業とする施設であり、類似施設としては、例えば、美粧院、ビューティー−パーラー、ビューティー−サロン、などが知られている。
前記理容を提供する場所に関しては、容姿を整えることの中で、特に、頭髪の刈り込みや顔剃りなどによって容姿を整えるサービスや技術を提供する施設であり、例えば、理容店、理髪店、などが知られている。【００３９】  前記医療を提供する場所に関しては、医術（人の病気や傷を治療する技術）で人体の病気を治す施設であり、医療施設であれば全て本発明の対象になる。
前記獣医業を提供する場所に関しては、獣医術（動物の病気や傷を治療する技術）で動物の病気を治す施設であれば全て本発明の対象になる。【００４０】  前記アロマテラピーを提供する場所に関しては、アロマセラピーとも言い、芳香療法，花や草の持つ芳香物質をかいだり，化粧品に混ぜて肌につけたりして健康や美容の増進をはかるというサービスや技術を提供する施設である。
前記エステティックを提供する場所に関しては、体全体の美容を心身両面から考える総合美容、例えば、顔や体の手入れ，メーキャップ，痩身，脱毛，マニキュア，ペディキュアなどを行う施設であり、例えば、エステティックサロンなどが知られていて、髪型だけでなくエステティック美容を行う総合美容院である。【００４１】  前記針治療を提供する場所に関しては、針術、東洋医学の治療術の一、人体にあると言われているツボ（経穴）に針を刺して治療を行う方法、サービス、技術、などを提供する施設である。
前記灸治療を提供する場所に関しては、灸術、漢方療法の一であり、体表のツボ（経穴）などの上にもぐさを置いて燃やし、温熱刺激を与え、治療効果を得るもの、サービス、技術、などを提供する施設である。
前記電気治療を提供する場所に関しては、東洋医学でよく知られている人体にあると言われているツボ（経穴）に電気的刺激で治療を行う方法、サービス、技術、などを提供する施設である。
前記マッサージを提供する場所に関しては、手または器具で、体をもんだりさすったりたたいたりして行う治療法、サービス、技術、などを提供する施設であり、利用者の血行をよくし、筋肉や神経の機能を回復し、緊張をほぐして疲労をとることが知られており、保健・美容の目的で行われることがある。
前記整体を提供する場所に関しては、整体術を提供する施設であり、手などの力で、骨格のゆがみを矯正し、身体の均斉をとることにより、健康増進・体質改善などをはかること、サービス、技術、などを提供する施設である。
前記カイロプラクティックを提供する場所に関しては、人体の脊椎指圧療法であり、脊椎のゆがみを矯正して健康を保とうとする療法、サービス、技術、などを提供する施設であり、米国で起こった民間療法が日本で公認となったことが知られている。【００４３】  課題を解決するための第五の手段として、前記場所または（及び）前記位置に、一又は二以上のカメラを設置して前記画像表示装置に接続させることを特徴とする、課題を解決するための第一の手段から課題を解決するための第四の手段のいずれかに記載の待ち時間を利用した広告手段を提供する。【００４４】  前記カメラに関しては、アナログ方式でもデジタル方式でも使用でき、赤外線カメラの使用も可能であり、一般的な手段で入手可能なタイプは全て使用可能である。本発明で前記カメラを用いる目的は、前記場所または（及び）前記位置に設置した前記画像表示装置に表示される前記広告情報の視聴率を向上させるために用いるので、この目的に沿った使用法のアイディアや表現方法のアイディアは本発明に帰属するものとする。
前記カメラの設置手段に関しては、前記場所または（及び）前記位置に前記カメラを固定式に設置してもよいし着脱可能手段を用いて設置してもよいし、安全性に問題なければ載置する程度でも構わない。
前記カメラと前記画像表示装置との接続手段に関しては、有線手段でも無線手段でも使用可能であり、いずれでも一般的に入手可能な手段であれば全て使用可能である。【００４６】  課題を解決するための第六の手段として、前記画像表示装置に端末装置を設け、来店者または来院者データベースを設け来店データまたは来院データを蓄積したり、前記カメラからの画像データを蓄積したりして、前記視聴対象者の依頼に応じて画像データを表示するときに、前記広告情報を前記画像表示装置の表示部の少なくとも一部に表示されるようにする手段を設けたことを特徴とする、課題を解決するための第一の手段から課題を解決するための第五の手段のいずれかに記載の待ち時間を利用した広告手段を提供する。【００４７】  前記端末装置に関しては、前記画像表示装置からの画像データや文字データや音声データを、制御したり、記憶したり、送信したり、受信したり、画像データや文字データを出力したり、音声データを出力したり、する手段が備えられているＣＰＵ搭載装置であれば、チップ状でも、基板状でも、各種装置に内蔵されているタイプでも、マイコン、パソコン、なども使用可能である。
また、前記端末装置にプリンタが内蔵されているタイプ、プリンタに前記端末装置が内蔵されているタイプ、でも使用可能である。
また、前記端末装置とプリンタが一体化されているタイプ、前記端末装置とプリンタが予め接続されているタイプの使用も可能である。
また、前記端末装置に前記画像表示装置が内蔵されているタイプ、前記画像表示装置に前記端末装置が内蔵されているタイプ、でも使用可能である。
また、前記端末装置と前記画像表示装置が一体化されているタイプ、前記端末装置と前記画像表示装置が予め接続されているタイプの使用も可能である。
また、前記端末装置に前記カメラが内蔵されているタイプ、前記カメラに前記端末装置が内蔵されているタイプ、でも使用可能である。
また、前記端末装置と前記カメラが一体化されているタイプ、前記端末装置と前記カメラが予め接続されているタイプの使用も可能である。【００４８】  前記データベースに関しては、前記来店者または来店予定者または前記来院者または来院予定者または前記視聴対象者または前記視聴予定者の、名前、住所、電話番号、電子メールアドレス、年齢、職業、性別、性格、来店または来院の履歴、その他必要と思われる情報、などの文章データや画像データや音声データとして格納されている個人情報である。
また、前記データベースは、前記サーバにより、前記端末または前記画像表示装置などと、前記データの交信が可能なシステムが好ましい。
本発明では、前記データベースを、前記画像表示装置の選定や設計や製作に利用したり、前記画像表示装置の設置場所や設置手段を検討したり、前記広告情報の製作や編集や選択に利用したり、前記広告情報の前記画像表示装置による表示手段を創作したり編集したり選択したり、するのに利用する。【００５０】  課題を解決するための第七の手段として、前記端末装置または前記画像表示装置にプリンターを設け、前記画像表示装置にプリント手段を示す画像を表示するようにして、前記視聴対象者の依頼に応じてまたは操作によって前記広告情報を出力できるようにしたり、前記プリンターからの出力が前記視聴対象者の嗜好情報として前記端末装置または前記記憶手段または前記サーバーまたは前記画像表示装置または前記プリンターに記憶されるようにしたことを特徴とする、課題を解決するための第一の手段から課題を解決するための第六の手段のいずれかに記載の待ち時間を利用した広告手段を提供する。【００５１】  前記プリンターに関しては、前記画像表示装置に表示された広告情報をシート状に印刷する手段を備えた印刷装置であれば、アナログ方式でもデジタル方式でもよく、印字方式も、インクジェット方式やレーザー印字方式やトナー転写方式やカーボン転写方式やインク転写方式などが利用できる。
また、プリンター専用機でもコピー装置の代用でもファクシミリ装置の代用でもプリンターとコピーの複合装置でもプリンターとファクシミリの複合装置でもコピーとファクシミリの複合装置でもプリンターとファクシミリとコピーの複合装置でも利用できる。
また、前記シート状に関しては、紙、プラスチック、金属、布、の単体またはこれらの中から選択して複合体にしたものが使用可能である。【００５２】  前記プリンターから出力される前記画像表示装置に表示された広告情報に関しては、前記広告情報の印刷体や複写体という役割の他に、前記画像表示装置に表示された広告情報に係るクーポン券として利用できるようにしてもよい。これにより、利用者が見た広告内容を思い出せなくなった場合にも、利用者自身で広告内容を保存することが可能となり、また、前記画像表示装置に表示された広告情報としての映像や音声を視聴し、気に入った商品やサービスや治療内容などがあれば、資料請求を行うことができる。
前記画像表示装置にプリント手段を示す画像に関しては、プリンターをイメージさせる、マーク、記号、イラスト、写真、プリンターを意味する言語や文字などの中から選択して、これらを単独または組合わせて用いることができる。
また、前記画像表示装置にプリント手段を示す画像を表示する手段に関しては、前記画像表示装置の表示部の画面を分割して、分割した中の少なくとも一つの画面に前記画像を表示させるようにしてもよい。
また、前記画像表示装置にプリント手段を示す画像を表示する手段に関しては、前記画像表示装置の表示部の画面の中の任意の部位に前記画像を表示させるようにしてもよい。
また、前記画像表示装置にプリント手段を示す画像を表示する手段に関しては、前記画像表示装置の表示部に表示した前記広告情報の画面の中の任意の部位に前記画像を表示させるようにしてもよい。【００５３】  前記嗜好情報に関しては、本発明では、前記視聴対象者自身が前記画像表示装置に表示された広告情報を前記プリンターへの出力作業を実施したり、前記場所や前記施設の責任者または従事者または担当者に出力依頼の意思表示を行なうことは、前記視聴対象者が前記画像表示装置に表示された広告情報に、関心を示したり、興味を持ったりしたと判断し、嗜好情報として、前記サーバーに送信するか、前記データベースに記録させるようにしたりする。
また、前記の端末装置に前記嗜好情報を記憶する手段に関しては、前記嗜好情報が発生したときに、前記データベースが前記端末装置の記憶部に格納されている場合であり、対象となる広告情報の記録や、前記プリンターの作動情報や、前記出力情報のデータが記録される。
前記記憶手段に前記嗜好情報を記憶する手段に関しては、前記記憶手段が前記端末装置または前記画像表示装置から分離されている場合であり、この場合前記記憶手段に前記データベースが格納されていて、対象となる広告情報の記録や、前記プリンターの作動情報や、前記出力情報のデータが記録される。
前記サーバーに前記嗜好情報を記憶する手段に関しては、前記サーバーに前記データベースが格納されている場合であり、対象となる広告情報の記録や、前記プリンターの作動情報や、前記出力情報のデータが記録される。
前記画像表示装置に前記嗜好情報を記憶する手段に関しては、前記画像表示装置に前記記憶手段が内蔵または一体化され、前記記憶手段に前記データベースが格納されている場合であり、対象となる広告情報の記録や、前記プリンターの作動情報や、前記出力情報のデータが記録される。
前記プリンターに前記嗜好情報を記憶する手段に関しては、前記プリンターに前記記憶手段が内蔵または一体化され、前記記憶手段に前記データベースが格納されている場合であり、対象となる広告情報の記録や、前記プリンターの作動情報や、前記出力情報のデータが記録される。【００５５】  課題を解決するための第八の手段として、前記画像表示装置に表示画像リピート手段や音声調節手段を示す画像を表示するようにして、前記視聴対象者の依頼に応じてまたは操作によって表示画像リピート手段や音声調節手段が実行されたときに、前記操作情報を前記視聴対象者の嗜好情報として前記端末装置または前記記憶手段または前記サーバーに記憶されるようにしたことを特徴とする、課題を解決するための第一の手段から課題を解決するための第七の手段のいずれかに記載の待ち時間を利用した広告手段を提供する。【００５６】  表示画像リピート手段や音声調節手段を示す画像に関しては、表示画像リピート手段や音声調節手段をイメージさせる、マーク、記号、イラスト、写真、表示画像リピート手段や音声調節手段を意味する言語や文字などの中から選択して、これらを単独または組合わせて用いることができる。
また、前記画像表示装置に表示画像リピート手段や音声調節手段を示す画像を表示する手段に関しては、前記画像表示装置の表示部の画面を分割して、分割した中の少なくとも一つの画面に前記画像を表示させるようにしてもよい。
また、前記画像表示装置に表示画像リピート手段や音声調節手段を示す画像を表示する手段に関しては、前記画像表示装置の表示部の画面の中の任意の部位に前記画像を表示させるようにしてもよい。
また、前記画像表示装置に表示画像リピート手段や音声調節手段を示す画像を表示する手段に関しては、前記画像表示装置の表示部に表示した前記広告情報の画面の中の任意の部位に前記画像を表示させるようにしてもよい。【００５７】  前記嗜好情報に関しては、本発明では、前記視聴対象者自身が前記画像表示装置に表示された表示画像リピート手段や音声調節手段を実行したり、前記場所や前記施設の責任者または従事者または担当者に表示画像リピート手段や音声調節手段の依頼の意思表示を行なうことは、前記視聴対象者が前記画像表示装置に表示された広告情報に、関心を示したり、興味を持ったりしたと判断し、嗜好情報として、前記サーバーに送信するか、前記データベースに記録させるようにしたことを特徴とする。
また、前記の端末装置に前記嗜好情報を記憶する手段に関しては、前記嗜好情報が発生したときに、前記データベースが前記端末装置の記憶部に格納されている場合であり、対象となる広告情報の記録やデータ、前記表示画像リピート手段や前記音声調節手段の実行情報やデータが記録される。
前記記憶手段に前記嗜好情報を記憶する手段に関しては、前記記憶手段が前記端末装置または前記画像表示装置から分離されている場合であり、この場合前記記憶手段に前記データベースが格納されていて、対象となる広告情報の記録やデータ、前記表示画像リピート手段や前記音声調節手段の実行情報やデータが記録される。
前記サーバーに前記嗜好情報を記憶する手段に関しては、前記サーバーに前記データベースが格納されている場合であり、対象となる広告情報の記録やデータ、前記表示画像リピート手段や前記音声調節手段の実行情報やデータが記録される。
前記画像表示装置に前記嗜好情報を記憶する手段に関しては、前記画像表示装置に前記記憶手段が内蔵または一体化され、前記記憶手段に前記データベースが格納されている場合であり、対象となる広告情報の記録やデータ、前記表示画像リピート手段や前記音声調節手段の実行情報やデータが記録される。
前記プリンターに前記嗜好情報を記憶する手段に関しては、前記プリンターに前記記憶手段が内蔵または一体化され、前記記憶手段に前記データベースが格納されている場合であり、対象となる広告情報の記録やデータ、前記表示画像リピート手段や前記音声調節手段の実行情報やデータが記録される。【００６０】  課題を解決するための第九の手段として、前記嗜好情報の少なくとも一部をポイントに換算し、前記ポイントを記録しデータベースとして利用したり、前記プリンターからポイントカードが出力されるシステムを設けたり、前記プリンターにポイントカードを入力し所定の部位に印字されるシステムを設けたりすることを特徴とする、課題を解決するための第六の手段から課題を解決するための第八の手段のいずれかに記載の待ち時間を利用した広告手段を提供する。【００６１】  前記嗜好情報の少なくとも一部をポイントに換算する手段に関しては、例えば、前記プリンターの動作指示があった場合に、一の画面を一枚プリントしたときに１ポイント、一の画面を二枚プリントしたときに２ポイント、二の画面を一枚ずつプリントしたときに２ポイント、二の画面を二枚ずつプリントしたときに４ポイント、などのように任意のルールで運用すればよい。また、例えば、例えば、前記表示画面のリピート動作指示があった場合に、所定の画面を一回リピート動作したときに１ポイント、所定の画面を二回リピートしたときに２ポイント、二の画面を一回ずつリピート動作したときに２ポイント、二の画面を二回ずつリピート動作したときに４ポイント、などのように所定のルールで運用すればよい。また、例えば、例えば、前記表示画面の音声調節動作指示があった場合に、所望する画面を一回音声調節動作したときに１ポイント、所望する画面を二回音声調節したときに２ポイント、二の画面を一回ずつ音声調節動作したときに２ポイント、二の画面を二回ずつ音声調節動作したときに４ポイント、などのように所望するルールで運用すればよい。【００６２】  前記ポイントカードに関しては、前記ポイントが記入または記録または印字できるようになっていれば、カード状でなくともシート状でもよく、寸法に関しても任意で構わない。材質に関しても、前記プリンターで利用可能であれば何を用いても構わない。
前記プリンターから前記ポイントカードが出力されるシステムに関しては、前記のプリンター手段や印刷手段や印字手段以外でも、例えば、前記ポイントカードに刻印を打ったり、箔押しをしたり、プレス処理を施したり、ドット処理を施したり、磁気記録処理を施したり、磁気印字処理を施したり、レーザー処理をしたり、紫外線処理をしたり、可視光線処理をしたり、加熱印字処理をしたりするタイプの印刷装置や印字装置や記録装置も使用できる。
なお、前記ポイントは所定の交換比率で、商品や商品券との交換や前記サービスの利用または割引が可能になったり前記治療の利用権などと交換することができる。
また、本発明で用いる「ポイント」に関しては、本発明で記述した内容が実施できたり本発明で記述した機能が実行可能であればどんな名称でも構わない。
また、本発明で用いる「ポイント」に関しては、一般的に知られているポイントの機能は全て応用可能であると判断できる。【００６３】  前記ポイントを記録する手段に関しては、ポイントの発生やポイントが加算されたときに、前記サーバーに送信するようにした後に前記データベースに記録させるようにしたり、前記端末装置の内部または外部に設けた記憶手段に設けてある前記データベースに記録させるようにしたり、前記画像表示装置の内部または外部に設けた記憶手段に記録させるようにしたり、前記プリンターの内部または外部に設けた記憶手段に記録させるようにしたり、すればよい。【００６４】  前記ポイントを記録しデータベースとして利用する手段に関しては、ポイントが発生またはポイントが加算されたときに前記データベースに記録されるときの手段としては、一般的に知られた手段で構わない。前記データベースシステムに関しても、一般的に入手可能なものを利用しても構わない。【００６５】  前記プリンターに前記ポイントカードを入力し所定の部位に印字されるシステムに関しては、前記のプリンター手段や印刷手段や印字手段以外でも、例えば、前記ポイントカードに刻印を打ったり、箔押しをしたり、プレス処理を施したり、ドット処理を施したり、磁気記録処理を施したり、磁気印字処理を施したり、レーザー処理をしたり、紫外線処理をしたり、可視光線処理をしたり、加熱印字処理をしたりするタイプの印刷装置や印字装置や記録装置も使用できる。
【発明の効果】
【００７０】  本発明によって、画像表示装置を用いた広告手段として、顧客や消費者になる可能性を有する視聴者の精神的条件や肉体的条件や視聴者の視聴時点での精神的状態や肉体的状態によって訪問する場所が選択されることを利用したり、前記視聴者の必要性によって訪問する場所が特定されるということを利用して、前記場所に、予め視聴者の精神的条件や肉体的条件や視聴者の視聴時点での精神的状態や肉体的状態を分析または計算または想定して製作または編集された広告情報の提供が可能になるので、消費者の購買意欲を効果的または効率的に増進させて、商品やサービスや治療の提供に適切に結びつけることができる、待ち時間を利用した広告手段が提供できる。
また、本発明のポイントシステムを導入した場合には、視聴者がポイントを溜め易くなる精神状態を活用できるので、広告提供者側にとっては、画像表示装置を設置した所望数の施設や所望数の場所を設けることで、効果的な広告を行うことができ、売上の向上を期待することが可能となる。【００７１】  本発明は、広告効果に関しての理論としては、一般的なＡＩＤＭＡ理論の効果を発揮しやすい現象として、広告情報の視聴時点での精神的状態や肉体的状態を予め計算または想定しやすい「待ち時間」という現象を積極的に利用する「待ち時間理論」を構築したことによって、消費者の購買意欲を効果的または効率的に増進させて、商品やサービスや治療の提供に適切に結びつけることができる、待ち時間を利用した広告手段が提供できる。【００７２】  本発明によって、上述した発明の効果に加えて視聴者の精神的条件や肉体的条件によって選択される視聴者の訪問予定の場所をシミュレートすることが相当な確立で可能になることで消費者や視聴者の視聴時点での精神的状態や肉体的状態を計算した広告情報や広告番組を製作することが可能になり、その結果、消費者や視聴者の視聴時点での精神的状態や肉体的状態を計算した広告情報や広告番組の提供が可能になり、すなわち「旬」の状態の消費者や視聴者に「旬」の状態の広告情報や広告番組を提供できることで、消費者や視聴者に対する広告の視聴欲を相当な確率で向上させることが可能になり、消費者や視聴者の購買欲を相当な確率で向上させることができる、待ち時間を利用した広告手段が提供できる。【００７３】  本発明の待ち時間を利用した広告手段によれば、上述した発明の効果に加えて待ち時間が発生した施設の中でも場所別に、また本発明でいう視聴予定者の年齢や性別に合わせて適切に前記の広告情報を提供することができ、例えば美容を提供する場所への来店者に関しては、美容やファッションや生活スタイルに関しての商品やサービスに関しての広告効果や購買欲や資料請求欲を相当な確率で向上させることが可能となる。
その結果、広告提供者側にとっては、例えば美容院における来店者に対して効果的な広告を行うことができ、売上の向上を期待することが可能になるとともに、美容院側の管理者にとっては、このような広告提供者側からの広告収入を得ることが可能となる。また、来店者にとっても商品やサービス等の情報を効果的に得ることができるのみならず、美容やファッションや生活スタイルに関してのプレゼントや所定の割引サービスやクーポン券やポイントサービスなどを受けることが可能となる。【００７４】  本発明を、例えば医療を提供する場所、例えば歯科医院への来院者に関して実施することで、歯の美化や虫歯予防や口臭予防に関しての商品やサービスに関しての広告効果や購買欲や資料請求欲を相当な確率で向上させることが可能となる。
その結果、広告提供者側にとっては、歯科医院における来院者に対して効果的な広告を行うことができ、売上の向上を期待することが可能になるとともに、歯科医院側の管理者にとっては、このような広告提供者側からの広告収入を得ることが可能となる。また、来院者にとっても商品やサービス等の情報を効果的に得ることができるのみならず、歯の美化や虫歯予防や口臭予防に関してのプレゼントや所定の割引サービスやクーポン券やポイントサービスなどを受けることが可能となる。【００７５】  本発明を、例えば獣医業を提供する場所、例えば動物病院への来院者に関して実施することで、ペットの美容や健康、ペットショップ、ペットフードに関しての商品やサービスに関しての広告効果や購買欲や資料請求欲を相当な確率で向上させることが可能となる。
その結果、広告提供者側にとっては、動物病院における来院者に対して効果的な広告を行うことができ、売上の向上を期待することが可能になるとともに、動物病院側の管理者にとっては、このような広告提供者側からの広告収入を得ることが可能となる。また、来院者にとっても商品やサービス等の情報を効果的に得ることができるのみならず、ペットの美容や健康、ペットショップ、ペットフードに関してのプレゼントや所定の割引サービスやクーポン券やポイントサービスなどを受けることが可能となる。【００７６】  本発明を、例えばエステティックを提供する場所、例えばエステティックサロンへの来店者に関して実施することで、身体の美容や健康、ダイエットやファッションや生活スタイルに関しての商品やサービスに関しての広告効果や購買欲や資料請求欲を相当な確率で向上させることが可能となる。
その結果、広告提供者側にとっては、エステティックサロンにおける来店者に対して効果的な広告を行うことができ、売上の向上を期待することが可能になるとともに、エステティックサロン側の管理者にとっては、このような広告提供者側からの広告収入を得ることが可能となる。また、来店者にとっても商品やサービス等の情報を効果的に得ることができるのみならず、身体の美容や健康、ダイエットやファッションや生活スタイルに関してのプレゼントや所定の割引サービスやクーポン券やポイントサービスなどを受けることが可能となる。【００７７】  本発明を、例えばマッサージを提供する場所、例えばマッサージ店への来店者に関して実施することで、身体の健康や運動、肩こりや腰痛対策の生活スタイルに関しての商品やサービスに関しての広告効果や購買欲や資料請求欲を相当な確率で向上させることが可能となる。
その結果、広告提供者側にとっては、エステティックサロンにおける来店者に対して効果的な広告を行うことができ、売上の向上を期待することが可能になるとともに、エステティックサロン側の管理者にとっては、このような広告提供者側からの広告収入を得ることが可能となる。また、来店者にとっても商品やサービス等の情報を効果的に得ることができるのみならず、身体の健康や運動、肩こりや腰痛対策の生活スタイルに関してのプレゼントや所定の割引サービスやクーポン券やポイントサービスなどを受けることが可能となる。
【発明を実施するための最良の形態】
【００９０】  以下、本発明の実施の形態について、図１、図２に基づいて説明する。
図１は本発明の実施の形態例を示す概略ブロック図である。図２は本発明の実施の形態例を示す概略フローチャートである。
【実施例１】
【００９１】  図１より、本実施の形態例では、例えばエステティックサロンに美容痩身の目的で来店した４０歳代の既婚女性Ｃ１（子有り）の場合、例えばマッサージ店に腰痛軽減の目的で来店した５０歳代の既婚女性Ｃ２（孫有り）の場合、例えば美容院に新しい髪形にしたい目的で来店した２０歳代の未婚女性Ｃ３（恋人有り）の場合、例えば美容院にパーマをかける目的で来店した２０歳代の未婚男性Ｃ４（恋人無し）の場合、を説明している。
４０歳代既婚女性Ｃ１は、待合室で順番を待っている間に、待合室に設けてある画像表示装置Ｄ１０が視野に入ったので視覚と聴覚をそちらに向けた。この時点では４０歳代既婚女性Ｃ１には、待ち時間ＴｍＸの中の少なくとも一部である待ち時間ｍＸ３が発生している。
５０歳代既婚女性Ｃ２は、ベッドに全身を横たえてマッサージ師による腰部への経絡刺激サービスを受けているが視覚器官と聴覚器官には「待ち時間ＴｉＹ＝ｉＹ２＋ｉＹ３」が生じているのでベッドの端部に備えてある画像表示装置Ｄ２０を観ている。
２０歳代未婚女性Ｃ３は、椅子に座り美容師によるヘアメイクを受けているが視覚器官には「待ち時間」が生じているので正面に備えてある画像表示装置Ｄ３０に見入っている。この時点では２０歳代未婚女性Ｃ３には、待ち時間ＴｉＹの中の少なくとも一部である待ち時間ｉＹ２が発生している。
２０歳代未婚男性Ｃ４は、２０歳代未婚女性Ｃ３と同じ美容院に来ているが、順番待ちで座っているソファーの近くに設けてある画像表示装置Ｄ４０に注意を引き付けられていた。この時点では２０歳代未婚男性Ｃ４には、待ち時間ＴｉＸの中の少なくとも一部である待ち時間ｉＸ３が発生している。【００９２】  図１より、画像表示装置Ｄ１０は３２インチの液晶ディスプレイで待合室の壁面に設けてあり、プリンターＰ１０が接続され、外部記憶装置Ｄ１１が接続され、外部記憶装置Ｄ１１には広告提供業者Ｐ１がエステティックサロン向けに製作し広告管理手段１０に記憶され待ち時間管理手段２０に制御されている広告情報１１をダウンロードしたＣＤが挿入されており、画像表示装置Ｄ１０には待ち時間ｍＸ３に対応した広告情報１１の中の４０歳代既婚女性向けのコンテンツが配信されている。
また、画像表示装置Ｄ２０は１４インチの液晶ディスプレイでベッドの端部に着脱可能に設けてあり、プリンターＰ２０が接続され、画像表示装置Ｄ２０はインターネット網ＩＮを介して広告提供業者Ｐ１の管理サーバーＳ１に接続設定されており、画像表示装置Ｄ２０には広告提供業者Ｐ１がマッサージ店向けに製作し広告管理手段１０に記憶され待ち時間管理手段２０に制御されている広告情報１２の中の５０歳代既婚女性向けに製作され、かつ待ち時間ＴｉＹ＝（ｉＹ２＋ｉＹ３）に対応したコンテンツが配信されている。
また、画像表示装置Ｄ３０は４０インチのプラズマディスプレイで美容椅子の略正面に着脱可能に設けてあり、制御装置Ｄ３１に接続されており、制御装置Ｄ３１にはプリンターＰ３０が接続されており、制御装置Ｄ３１はＬＡＮ接続されており、このＬＡＮはインターネット網ＩＮを介して広告提供業者Ｐ１の管理サーバーＳ１に接続設定されており、画像表示装置Ｄ３０には広告提供業者Ｐ１が美容院向けに製作し広告管理手段１０に記憶され待ち時間管理手段２０に制御されている広告情報１３の中の２０歳代未婚女性向けに製作され、かつ待ち時間ｉＹ２に対応したコンテンツが配信されている。
また、画像表示装置Ｄ４０は制御装置内蔵型の２０インチの液晶ディスプレイで美容待合室の壁面に着脱可能に設けてあり、プリンターＰ３０が接続されており、画像表示装置Ｄ４０はＬＡＮ接続されており、このＬＡＮはインターネット網ＩＮを介して広告提供業者Ｐ１の管理サーバーＳ１に接続設定されており、画像表示装置Ｄ４０には広告提供業者Ｐ１が美容院向けに製作し広告管理手段１０に記憶され待ち時間管理手段２０に制御されている広告情報１４の中の２０歳代未婚男性向けに製作され、かつ待ち時間ｉＸ３に対応したコンテンツが配信されている。【００９３】  ４０歳代既婚女性Ｃ１が、画像表示装置Ｄ１０に表示されている広告情報１１を見ていると、広告情報１１は無理せず痩せられるダイエット食品を紹介する映像を提供しており、高校生になった長女も少し太り気味にもなったこともあり、詳しい資料が欲しいという欲求（Ｄｅｓｉｒｅ）が生じ、画像表示装置Ｄ１０に表示されているプリント指示手段を操作してプリンターＰ１０により、ダイエット食品を紹介した映像がカラーでＡ４サイズで少なくとも１枚の普通紙に印刷された出力用紙Ｐ１１が排出手段から排出され、４０歳代既婚女性Ｃ１は手に取った（Ｍｅｍｏｒｙ）。出力用紙Ｐ１１の出力情報は管理サーバーＳ１に送られ、顧客管理手段３０とポイント管理手段４０が実行された。すなわち、４０歳代既婚女性Ｃ１にポイントが加算された。４０歳代既婚女性Ｃ１は購買を決意した（Ａｃｔｉｏｎ）。
５０歳代既婚女性Ｃ２がマッサージ用ベッドにうつ伏せになって、画像表示装置０２０に表示されている広告情報１２を眺めていると、同世代の女性が孫を連れて楽しそうに公園を散歩している映像を用いたＣＭが表示されていた。自分もあんな若々しいファッションで孫と散歩がしたいという欲求（Ｄｅｓｉｒｅ）が生じ、画像表示装置Ｄ２０に表示されているプリント指示手段を操作してプリンターＰ２０により、表示された資料請求の映像をカラーでＡ４サイズで少なくとも１枚の普通紙に印刷された出力用紙Ｐ２１がプリンターＰ２０から排出された。出力用紙Ｐ２１の出力情報は管理サーバーＳ１に送られ、顧客管理手段３０とポイント管理手段４０が実行された。すなわち、５０歳代既婚女性Ｃ２にポイントカードが発行された。５０歳代既婚女性Ｃ２は会計が終了した後に出力用紙Ｐ２１を渡された（Ｍｅｍｏｒｙ）。
２０歳代未婚女性Ｃ３が美容椅子に座って、正面にある画像表示装置Ｄ３０に表示されている広告情報１３を観ていたら、化粧品でイメージを変えよう、という内容のＣＭが表示されていた。髪型を変えている最中でもあり、今度のデートまでにあの化粧品を試してみようという欲求（Ｄｅｓｉｒｅ）が生じ、試供品申し込みの資料をプリントしてくれるように美容院の店員に依頼した。店員は制御装置Ｄ３１を操作して、試供品申し込みフォーマットをプリンターＰ３０により出力用紙Ｐ３１を出力した。２０歳代未婚女性Ｃ３は美容作業が終了すると出力用紙Ｐ３１の記載事項に記入して用紙を店員に渡した（Ａｃｔｉｏｎ）。店員は所定の内容が記入された出力用紙Ｐ３１を受け取ると、制御装置Ｄ３１を操作して、出力用紙Ｐ３１の出力情報と顧客情報を管理サーバーＳ１に送信した。この送信情報により顧客管理手段３０とポイント管理手段４０が実行され、２０歳代未婚女性Ｃ３にポイントが加算された。
２０歳代未婚男性Ｃ４が待合室のソファーに座って、画像表示装置Ｄ４０に表示されている広告情報１４を見ていたら、育毛剤のキャンペーンＣＭが流れていて、キャンペーン期間中に抜け毛を送ると毛髪診断をやってくれるみたいな内容だったが、よく聴いてなかったので画像表示装置Ｄ４０に表示されているリピート手段を実行したい欲求（Ｄｅｓｉｒｅ）が生じ、画面に表示されていた二次元コードに携帯電話のカメラを利用して広告提供業者Ｐ１のＷＥＢサイトにアクセスしてキャンペーン申し込みの手続きを行なった（Ａｃｔｉｏｎ）。広告情報１４のリピート情報は管理サーバーＳ１に送られ、顧客管理手段３０とポイント管理手段４０が実行された。すなわち、２０歳代未婚男性Ｃ４にプリンターＰ３０を介してポイントカードが出力用紙Ｐ３２として発行された。
【実施例２】
【００９５】  図１と図２の実施の形態例を説明すると、システムのスタート手段を実行するためには、まずエステティックサロン、マッサージ店、美容院などに設置した、画像表示装置（Ｄ１０，Ｄ２０，Ｄ３０，Ｄ４０）などの装置を作動させる。
次に、広告提供業者Ｐ１の管理サーバＳ１に接続するステップ１００を実行すると、利用者情報の入力を要求するステップ１１０が実行され、広告管理手段１０の広告情報（１１，１２，１３，１４）などを読み込むステップ１２０が実行され、画像表示装置（Ｄ１０，Ｄ２０，Ｄ３０，Ｄ４０）に広告情報（１１，１２，１３，１４）を表示させるステップ１３０を実行し、プリンター（Ｐ１０，Ｐ２０，Ｐ３０）の作動指示を確認するステップ１４０を実行する。
プリンターの作動指示を確認するステップ１４０が「ＹＥＳ」であれば、指示された画面の印刷を実行するステップ１４１を実行し、次に利用者情報を入力するように要求するステップ２００を実行し、次に広告利用者情報の登録または記録をするステップ２１０を実行し、次にポイントの加算をする手段を実行するステップ２２０を実行し、次に初めての利用者であればポイントカードを発行するステップ２３０を実行し、ポイントカード発行済みの利用者であれば追加ポイントを印刷するステップ２４０を実行し、次にこれまでの各作動情報や利用者情報が管理サーバＳ１に送信されるステップ２５０が実行され、次に広告情報の表示を続けるかどうかを確認するステップ１７０に戻り、広告情報の表示を続けるのであれば、利用者情報の入力を要求するステップ１１０に戻り、広告情報の表示を続けるかどうかを確認するステップ１７０が「ＮＯ」であれば、本システムの終了ステップを実行する。【００９６】  次に、プリンターの作動指示を確認するステップ１４０が「ＮＯ」であれば、画面リピートの作動指示を確認するステップ１５０を実行する。
画面リピートの作動指示を確認するステップ１５０が「ＹＥＳ」であれば、指示された画面のリピート作業を実行するステップ１５１を実行し、次に利用者情報を入力するように要求するステップ２００を実行し、次に広告利用者情報の登録または記録をするステップ２１０を実行し、次にポイントの加算をする手段を実行するステップ２２０を実行し、次に初めての利用者であればポイントカードを発行するステップ２３０を実行し、ポイントカード発行済みの利用者であれば追加ポイントを印刷するステップ２４０を実行し、次にこれまでの各作動情報や利用者情報が管理サーバＳ１に送信されるステップ２５０が実行され、次に広告情報の表示を続けるかどうかを確認するステップ１７０に戻り、広告情報の表示を続けるのであれば、利用者情報の入力を要求するステップ１１０に戻り、広告情報の表示を続けるかどうかを確認するステップ１７０が「ＮＯ」であれば、本システムの終了ステップを実行する。【００９７】  次に、画面リピートの作動指示を確認するステップ１５０が「ＮＯ」であれば、音声調節の作動指示を確認するステップ１６０を実行する。
音声調節の作動指示を確認するステップ１６０が「ＹＥＳ」であれば、指示された画面の音声調節を実行するステップ１６１を実行し、次に利用者情報を入力するように要求するステップ２００を実行し、次に広告利用者情報の登録または記録をするステップ２１０を実行し、次にポイントの加算をする手段を実行するステップ２２０を実行し、次に初めての利用者であればポイントカードを発行するステップ２３０を実行し、ポイントカード発行済みの利用者であれば追加ポイントを印刷するステップ２４０を実行し、次にこれまでの各作動情報や利用者情報が管理サーバＳ１に送信されるステップ２５０が実行され、次に広告情報の表示を続けるかどうかを確認するステップ１７０に戻り、広告情報の表示を続けるのであれば、利用者情報の入力を要求するステップ１１０に戻り、広告情報の表示を続けるかどうかを確認するステップ１７０が「ＮＯ」であれば、本システムの終了ステップを実行する。【００９８】  次に、音声調節の作動指示を確認するステップ１６０が「ＮＯ」であれば、広告情報の表示を続けるかどうかを確認するステップ１７０を実行する。
広告情報の表示を続けるかどうかを確認するステップ１７０が「ＹＥＳ」であれば、利用者情報の入力を要求するステップ１１０に戻り、広告情報の表示を続けるかどうかを確認するステップ１７０が「ＮＯ」であれば、本システムの終了ステップを実行する。【０１１０】  なお、本発明は以上の実施形態に限定されるものではなく、本発明の範囲内において、種々の変更実施が可能であることは言うまでもない。
例えば、管理サーバーＳ１は、広告提供業者Ｐ１において使用される情報処理装置であり、例えばワークステーションやパーソナルコンピュータ等を用いることができる。また管理サーバーＳ１は、広告提供業者Ｐ１の社内に設置されることを限定しない。また管理サーバーＳ１は、レンタルサーバでも構わない。
図１において、管理サーバーＳ１は一台のみ表示されているが、これに限定するものではなく、管理サーバーＳ１を二台以上とすることもできる。
【産業上の利用可能性】
【０１２０】  本発明の待ち時間を利用した広告手段に使用される画像表示装置に関しては、携帯電話やパームトップ型端末装置や電子ブックなどのパーソナルタイプの画像表示装置をターゲットにすることでより限定された広告情報の提供やコンテンツの提供が可能になる。
【図面の簡単な説明】
【０１２１】
【図１】本発明の実施の形態例を示す概略ブロック図である。
【図２】本発明の実施の形態例を示す概略フローチャートである。
【符号の説明】
【０１２２】Ｃ１：４０歳代の既婚女性，Ｃ２：５０歳代の既婚女性，Ｃ３：２０歳代の未婚女性，Ｃ４：２０歳代の未婚男性，Ｄ１０：画像表示装置，Ｄ２０：画像表示装置，Ｄ３０：画像表示装置，Ｄ４０：画像表示装置，ＴｍＸ：待ち時間，ｍＸ３：待ち時間，ＴｉＹ：待ち時間，ｉＹ２：待ち時間，ｉＹ３：待ち時間，ＴｉＸ待ち時間，ｉＸ３：待ち時間，Ｐ１０：プリンター，Ｐ２０：プリンター，Ｐ３０：プリンター，Ｄ１１：外部記憶装置，Ｄ３１：制御装置，Ｐ１：広告提供業者，Ｓ１：管理サーバー，ＩＮ：インターネット網，１０：広告管理手段，１１：広告情報，１２：広告情報，１３：広告情報，１４：広告情報，２０：待ち時間管理手段，Ｐ１１：出力用紙，Ｐ２１：出力用紙，Ｐ３１：出力用紙，Ｐ３２：出力用紙，
１００：管理サーバＳ１に接続するステップ，１１０：利用者情報の入力を要求するステップ，１２０：広告情報を読み込むステップ，１３０：画像表示装置に広告情報を表示させるステップ，１４０：プリンターの作動指示を確認するステップ，１４１：指示された画面の印刷を実行するステップ，１５０：画面リピートの作動指示を確認するステップ，１５１：指示された画面のリピート作業を実行するステップ，１６０：音声調節の作動指示を確認するステップ，１６１：指示された画面の音声調節を実行するステップ，１７０：広告情報の表示を続けるかどうかを確認するステップ，２００：利用者情報を入力するように要求するステップ，２１０：広告利用者情報の登録または記録をするステップ，２２０：ポイントの加算手段を実行するステップ，２３０：初めての利用者であればポイントカードを発行するステップ，２４０：ポイントカード発行済みの利用者であれば追加ポイントを印刷するステップ，２５０：各作動情報や利用者情報が管理サーバＳ１に送信されるステップ
【図１】
2007219460.tif 000003
【図２】
2007219460.tif 000004